(57)【特許請求の範囲】
【請求項１】
装置本体の窓部を通過する挿脱方向に沿って前記装置本体内に挿脱自在に装着される保持部材であって、部品を着脱自在に保持する平面状の保持部と、前記挿脱方向に直交する方向において前記保持部に隣接する閉塞部と、を備えた保持部材と、
前記装置本体に固定され、前記装置本体内で前記保持部材の装着位置を画定する仕切り部を備えた取付部材と、
前記保持部材を前記仕切り部に固定する固定部材と、
を備え、
前記閉塞部は、前記保持部から垂直に延出した第１面と、前記保持部に平行な第２面と、前記第１面及び前記第２面に直交する第３面と、を備え、
前記仕切り部は、前記保持部材が前記装着位置に位置する状態で前記第１面及び前記第２面のそれぞれに間隔を設けて対向する前記第４面及び前記第５面と、前記第４面及び前記第５面に直交する第６面と、を備え、
前記保持部材が前記装着位置に位置する状態で、前記第３面が前記第６面に当接し、
前記固定部材は、前記第３面及び前記第６面に法線方向に締結されるビスであり、
前記保持部材が前記装着位置に位置する状態で、前記閉塞部と前記仕切り部とにより、前記第３面及び前記第６面の前記窓部側に、前記挿脱方向における上流側にのみ開放した空間を形成する部品取付構造。
【請求項２】
前記保持部材における前記保持部を挟む２箇所に前記閉塞部を形成し、前記取付部材の２箇所に前記仕切り部を形成した請求項１に記載の部品取付構造。
【請求項３】
前記空間は、直方体形状を呈する請求項１又は２に記載の部品取付構造。
【請求項４】
前記取付部材は、前記装着位置に装着された前記保持部材の前記挿脱方向に直交する方向への移動を規制する規制部材を備えた請求項１乃至３の何れかに記載の部品取付構造。
【請求項５】
本体の前面に表示面を設け、請求項１乃至４の何れかに記載の部品取付構造によって本体内部に部品が取り付けられるディスプレイ装置であって、
前記窓部を前記本体の背面パネルに形成したディスプレイ装置。
【発明の詳細な説明】
【技術分野】
【０００１】
この発明は、装置本体にネジを介して部品を取り付ける際の部品取付構造、及びこの部品取付構造を適用したディスプレイ装置に関する。
【背景技術】
【０００２】
ディスプレイ装置のように、内部に複数の部品を取り付けて構成された装置がある。各部品は、装置内で所望の機能を発揮させるために、装置内の所定の位置に配置する必要があり、他の部品や装置内の構造物と一定の関係を保持した状態で配置すべきものもある。例えば、回路基板を冷却するファンは、外気を回路基板に効率的に導くことができる状態で装置内に配置する必要がある。
【０００３】
このため、従来のディスプレイ装置では、フレームシャーシとバックカバーとで囲まれた背面側の空間を少なくとも１つの回路基板を囲む小空間に仕切る仕切り板を備え、各小空間に対応してバックカバーに形成された吸気孔と排気孔との間にファンを配置したものがある（例えば、特許文献１参照。）。
【先行技術文献】
【特許文献】
【０００４】
【特許文献１】特開２００９−２７６７５９号公報
【発明の概要】
【発明が解決しようとする課題】
【０００５】
しかし、ディスプレイ装置等の装置に取り付けられるファン等の動作部を含む電気部品は、経時劣化によって新たな部品に交換する必要があり、装置に着脱自在に固定される。従来の装置では、着脱すべき部品はビス止めによって装置内部に固定されており、装置内部の奥まった場所に螺着されたビスを装置外部から挿入したドライバによって回転させる必要がある。このため、ネジ孔に螺着させるべきビス、又はネジ孔から取り外したビスがドライバから離脱し易く、装置内部のさらに奥まった場所に落下して部品の着脱作業が煩雑化する問題がある。
【０００６】
この発明の目的は、部品を固定するためのビス等の固定部材が雌ネジ部等の着脱位置から離脱した場合にも装置内部の奥まった場所に移動することを防止でき、部品の着脱作業を簡略化できる部品取付構造及びディスプレイ装置を提供することにある。
【課題を解決するための手段】
【０００７】
この発明の部品取付構造は、保持部材、取付部材及び固定部材を備えている。保持部材は、部品を着脱自在に保持する平面状の保持部と、挿脱方向に直交する方向において保持部に隣接する閉塞部と、を備え、装置本体の窓部を通過する挿脱方向に沿って装置本体内に挿脱自在に装着される。取付部材は、装置本体に固定され、装置本体内で保持部材の装着位置を画定する仕切り部を備えている。固定部材は、保持部材を仕切り部に固定する。閉塞部は、保持部から垂直に延出した第１面と、保持部に平行な第２面と、第１面及び第２面に直交する第３面と、を備えている。仕切り部は、保持部材が装着位置に位置する状態で第１面及び第２面のそれぞれに間隔を設けて対向する第４面及び第５面と、第４面及び第５面に直交する第６面と、を備えている。保持部材が装着位置に位置する状態で、第３面が前記第６面に当接する。固定部材は、第３面及び第６面に法線方向に締結されるビスである。また、保持部材が装着位置に位置する状態で、閉塞部と仕切り部とにより、第３面及び第６面の窓部側に、挿脱方向における上流側にのみ開放した空間を形成する。
【０００８】
この構成では、部品を装置本体に取り付ける際には、保持部に部品を保持させた保持部材を、装置本体内で取付部材の仕切り部によって画定された装着位置に、装置本体の窓部から挿入し、固定部材を介して仕切り部における窓部に対向する面に固定する。部品を装置本体から取り外す際には、仕切り部における窓部に対向する面から固定部材を取り外し、窓部を経由して装着位置から保持部材を引き出す。保持部材が装着位置に挿入された状態で、保持部材の閉塞部が、窓部側を除いて固定部材について密封された空間を仕切り部とともに形成する。部品を装置本体に部品を着脱する際には、窓部を経由して固定部材を仕切り部に着脱させる。仕切り部の窓部に対向する面から離脱した固定部材は、閉塞部と仕切り部とによって形成された空間内から装置内部に移動することがない。
【０００９】
第１〜６面により、保持部材の装着位置の近傍に、窓部側が開放した直方体形状の空間を形成することができる。また、保持部及び閉塞部を有する保持部材を金属平板のプレス加工によって容易に形成することができる。
【００１０】
また、保持部材における保持部を挟む２箇所に閉塞部を形成し、取付部材の２箇所に仕切り部を形成することが好ましい。２つの固定部材を介して保持部材を装着位置に確実に固定することができる。
【００１１】
固定部材としてビスを用いることで、保持部材の着脱をドライバによるビスの回転操作によって容易に行うことができる。
【００１２】
加えて、装着位置に装着された保持部材の挿脱方向に直交する方向の移動を規制する規制部材を取付部材に備えることが好ましい。固定部材を取り外した際に、保持部材が装置本体内で装着位置の外部に移動することを防止できる。
【発明の効果】
【００１３】
この発明によれば、部品を固定するためのビス等の固定部材が雌ネジ部等の着脱位置から離脱した場合にも装置内部の奥まった場所に移動することを防止でき、部品の着脱作業を簡略化できる。
【図面の簡単な説明】
【００１４】
【図１】本発明の実施形態に係る部品取付構造が適用されるディスプレイ装置の背面側の斜視図である。
【図２】同部品取付構造の組立図である。
【図３】同部品取付構造を構成する保持部材の図２は反対側からの斜視図である。
【発明を実施するための形態】
【００１５】
以下に、この発明の実施形態に係る部品取付構造について図面を参照しつつ詳細に説明する。
【００１６】
図１に示すように、この発明の実施形態に係る部品取付構造１０は、一例としてディスプレイ装置１００の内部に、この発明の部品の一例であるファン２０を着脱自在に装着する部分に適用される。部品取付構造１０は、ファン２０を保持する保持部材１、ディスプレイ装置１００の内部に固定された取付部材２を含む。
【００１７】
前面を表示面とするディスプレイ装置１００の背面パネル１１０には、長手方向の２箇所に窓部１２０が形成されている。保持部材１は、窓部１２０を経由してディスプレイ装置１００の内部に挿脱自在に装着される。図１に示すようにディスプレイ装置１００を長手方向を水平方向にして配置した際に、ディスプレイ装置１００の内部における窓部１２０の上側には、図示しない回路基板が配置されている。ファン２０は、装置内部の空気を循環させることで回路基板に送風して回路基板を冷却する。
【００１８】
図２に示すように、部品取付構造１０は、上述の保持部材１及び取付部材２に加えて、この発明の固定部材であるビス３を含む。
【００１９】
保持部材１は、一例として金属平板のプレス加工によって形成され、保持部１１、閉塞部１２、規制部１３を一体に備えている。保持部１１は、開口部１１１を有する矩形の平板状を呈し、２箇所に取付孔１１２が形成されている。閉塞部１２は、一例として、保持部１１の互いに平行な２辺から垂直に延出する第１面１２１と、第１面１２１から保持部１１に平行に延出した第２面１２２と、第１面１２１から第１面１２１及び第２面１２２に直交する方向に延出した第３面１２３と、を備えている。規制部１３は、保持部１１において、第１面１２１が延出する２辺に直交する一方の辺から垂直に延出している。規制部１３の自由端の２箇所には、係止片１３２が保持部１１に平行に延出している。第３面１２３には、ビス３が貫通する貫通孔１２３１が形成されている。
【００２０】
ファン２０は、規制部１３に対向する開口部１４から保持部１１内に挿入され、規制部１３との当接によって保持部１１内の位置を規定される。ファン２０は、図２における下側から取付孔１１２を貫通する図示しないビスによって保持部１１に固定される。
【００２１】
取付部材２は、一例として樹脂成形によって形成されており、基部２１、仕切り部２２、当接部２３を一体に備えている。基部２１は、矩形の平板状を呈し、長手方向の中央部に開口部２１１が形成されている。
【００２２】
仕切り部２２は、基部２１の長手方向について開口部２１１を挟んで両側に配置されている。基部２１における２つの仕切り部２２と当接部２３とで囲まれた範囲に、保持部材１が挿入される。当接部２３は、取付部材２に対する保持部材１の挿入方向（長手方向に直交する方向）における基部２１の下流側端部から垂直に延出している。仕切り部２２は、基部２１及び当接部２３とともにディスプレイ装置１００の内部における保持部材１１の装着位置を画定する。保持部材１を装着位置に装着した状態で、開口部１１１の開口範囲が開口部２１１の開口範囲に略一致する。
【００２３】
仕切り部２２は、第４面２２１、第５面２２２、第６面２２３を備えている。第４面２２１は、保持部材１が装着位置に装着された状態で、保持部材１の第１面１２１に対向するように、基部２１から垂直に延出している。第５面２２２は、保持部材１が装着位置に装着された状態で、保持部材１の第２面１２２に対向するように、基部２１上に位置している。第６面２２３は、取付部材２に対する保持部材１の挿入方向における基部２１の下流側端部から垂直に延出し、第４面２２１及び第５面２２２のそれぞれに直交する状態で接続されている。第６面２２３には、ビス３が螺合する雌ねじ部２２４が形成されている。第５面２２２及び第６面２２３の基部２１からの延出長さは、第１面１１１の保持部１１からの延出長さ以上にされている。基部２１の長手方向について、第５面２２２の幅は第２面１１２の幅に略等しくされている。保持部材１が装着位置に装着された状態で、第３面１２３が第６面２２３に当接する。
【００２４】
保持部材１を装着位置に装着すると、閉塞部１２の第１面１２１、第２面１２２及び第３面１２３、並びに仕切り部２２の第４面２２１、第５面２２２、第６面２２３によって直方体形状の空間４が形成される。この空間４は、基部２１に対する保持部材１の挿入方向における上流側の面である開放面４１を除いて密閉されている。
【００２５】
ファン２０をディスプレイ装置１００に取り付ける際には、まず、ファン２０を保持部材１の保持部２１に固定する。次いで、保持部材１を装着位置に挿入する。最後に、開放面４１からビス３を図示しないドライバを介して空間４の内部に挿入し、貫通孔１２３１を経由して雌ねじ部２２４に螺着させることで、保持部材１を取付部材２に固定する。
【００２６】
ファン２０をディスプレイ装置１００から取り外す際には、まず、開放面４１から空間４内に挿入したドライバによってビス３を雌ねじ部２２４から取り外す。次いで、保持部材１を装着位置から抜き出す。最後に、保持部材１からファン２０を取り外す。
【００２７】
ディスプレイ装置１００に対するファン２０の着脱時に、ドライバの先端と雌ねじ部２２４との両方から離脱したビス３が、ディスプレイ装置１００の内部で空間４の外部の奥まった位置に移動することがない。雌ねじ部２２４に対するビス３の着脱時に、ビス３がドライバの先端から離脱しないように意識する必要もなく、ファン２０の着脱作業を容易に行うことができる。
【００２８】
第４面２２１の自由端から当接片２２１１が、開口部２１１側に向けて、基部２１に平行に延出している。この発明の規制部材である当接片２２１１は、保持部材１が装着位置に装着された状態で、第２面１１２の外側に位置する。ディスプレイ装置１００を長手方向を垂直方向にして配置した状態で、ビス３を雌ねじ部２２４から取り外した場合にも、第２面１１２が当接片２２１１に当接することにより、保持部材１が装着位置から離脱することがない。
【００２９】
なお、当接片２２１１は、必ずしも第４面２２１の自由端に形成する必要はなく、第２面の外側に位置する必要もない。当接片２２１１は、保持部材１が基体２１から離間することを防止できる位置に形成することができ、保持部材１に保持されたファン２０に当接するものであってもよい。
【００３０】
ファン２０と電源部との電気的接続は、例えば、ファン２０からケーブルを介して延出したソケットと電源部からケーブルを介して延出したプラグとのコネクタ接続により行う。ファン２０の装着時には、ビス３を雌ねじ部２２４に螺着させた後に、ソケットにプラグを差し込む。ファン２０の取外し時には、ソケットからプラグを外した後に、雌ねじ部２２４からビス３を取り外す。
【００３１】
なお、空間４は、開放面４１を除いてビス３について密閉されていればよく、一部にビス３よりも小さい隙間が形成されていてもよい。また、空間４は、直方体形状に限るものではなく、保持部材１の一部である閉塞部１２と取付部材２の仕切り部２２とで形成されることを条件に、角柱形状や円柱形状とすることもできる。
【００３２】
さらに、この発明の固定部材は、ビス３に限るものではなく、開放面４１から着脱操作が可能なプラグ等の部材を用いることもできる。
【００３３】
加えて、取付部材２は、ディスプレイ装置１００のフレーム等に一体的に形成することもできる。
【００３４】
また、この発明の部品取付構造１０は、ディスプレイ装置１００に限らず、ファン２０を含む任意の部品が着脱自在に取り付けられる全ての装置に適用することができる。
【００３５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３６】
１−保持部材
２−取付部材
３−ビス（固定部材）
１０−部品取付構造
１１−保持部
１２−閉塞部
２０−ファン（部品）
２２−仕切り部
１００−ディスプレイ装置
１２０−窓部
１２１−第１面
１２２−第２面
１２３−第３面
２２１−第４面
２２２−第５面
２２３−第６面
【図１】
0005773790.tif 000002
【図２】
0005773790.tif 000003
【図３】
0005773790.tif 000004